(57)【要約】【課題】現実の部屋の物品と仮想空間上の部屋のオブジェクトとの対応関係に応じた情報を提示する。【解決手段】情報提示装置１は、仮想空間上の部屋に配置されているオブジェクトのうち該オブジェクトが模した物品がユーザの現実の部屋に配置されていないものを検出する対応関係判定部２２と、検出したオブジェクトが模した物品の配置を勧める情報を提示する挙動決定部２３とを備えている。【選択図】図１
2014002605.tif 000002
【特許請求の範囲】
【請求項１】
現実の物品を模したオブジェクトを配置可能な仮想空間上の部屋のユーザに情報を提示する情報提示装置であって、
上記仮想空間上の部屋に配置されているオブジェクトのうち該オブジェクトが模した物品が上記ユーザの現実の部屋に配置されていないもの、または上記ユーザの現実の部屋に配置されている物品のうち該物品を模したオブジェクトが上記仮想空間上の部屋に配置されていないものを検出する非対応検出手段と、
上記非対応検出手段が検出したオブジェクトが模した物品の配置、または上記非対応検出手段が検出した物品を模したオブジェクトの配置を勧める情報を上記ユーザに提示する情報提示手段とを備えていることを特徴とする情報提示装置。
【請求項２】
上記仮想空間上の部屋に配置されているオブジェクトを特定するオブジェクト特定手段と、
上記ユーザの現実の部屋に配置されている物品を特定する物品特定手段とを備え、
上記非対応検出手段は、上記オブジェクト特定手段が特定したオブジェクトのうち該オブジェクトが模した物品が上記物品特定手段に特定されていないもの、または上記物品特定手段が特定した物品のうち該物品を模したオブジェクトが上記オブジェクト特定手段に特定されていないものを検出することを特徴とする請求項１に記載の情報提示装置。
【請求項３】
上記情報提示手段は、オブジェクトの配置または物品の配置を勧める情報として、または該情報と共に、当該配置によって受けることが可能になるサービスを示す情報を提示することを特徴とする請求項１または２に記載の情報提示装置。
【請求項４】
上記オブジェクト特定手段が特定したオブジェクトが模した物品と、上記物品特定手段が特定した物品とが一致するか判定する一致判定手段を備え、
上記情報提示手段は、上記一致判定手段が一致すると判定した物品と該物品を模したオブジェクトとの組み合わせによって、上記ユーザが受けることが可能な組合せサービスを示す情報を該ユーザに提示することを特徴とする請求項２に記載の情報提示装置。
【請求項５】
上記情報提示手段は、上記ユーザの現実の部屋に配置することによって、上記一致判定手段が一致すると判定した物品および該物品を模したオブジェクトと連携した連携サービスを受けることが可能になる連携物品の配置を勧める情報を上記ユーザに提示することを特徴とする請求項４に記載の情報提示装置。
【請求項６】
上記オブジェクト特定手段が、上記連携物品が配置されていることを特定していない場合に、上記連携サービスを提示するときに、上記情報提示手段は、上記連携サービスが利用できないことを示す情報を提示することを特徴とする請求項５に記載の情報提示装置。
【請求項７】
上記非対応検出手段が検出した物品を模したオブジェクトの表示態様を、上記非対応検出手段が検出していない物品を模したオブジェクトの表示態様と異ならせるオブジェクト表示制御手段を備えていることを特徴とする請求項１から６の何れか１項に記載の情報提示装置。
【請求項８】
上記オブジェクト特定手段は、オブジェクトを特定すると共に該オブジェクトの属性を特定し、
上記物品特定手段は、物品を特定すると共に該物品の属性を特定し、
上記非対応検出手段は、上記オブジェクト特定手段が特定したオブジェクトのうち該オブジェクトの属性を有する物品が特定されていないもの、または上記物品特定手段が特定した物品のうち該物品の属性を有するオブジェクトが特定されていないものを検出し、
上記情報提示手段は、上記非対応検出手段が検出したオブジェクトの属性を有する物品の配置、または上記非対応検出手段が検出した物品の属性を有するオブジェクトの配置を勧める情報を上記ユーザに提示することを特徴とする請求項２に記載の情報提示装置。
【請求項９】
配置を勧めた物品を記憶する記憶手段と、
上記物品特定手段が特定した物品が、上記記憶手段が記憶した物品と一致した場合に、当該物品を上記ユーザが配置したことに対する報酬を要求する通知を予め定められた要求先に送信する要求手段とを備えていることを特徴とする請求項２に記載の情報提示装置。
【請求項１０】
配置を勧めたオブジェクトを記憶する記憶手段と、
上記オブジェクト特定手段が特定したオブジェクトが、上記記憶手段が記憶したオブジェクトと一致した場合に、該オブジェクトと、該オブジェクトが模した物品との組み合わせによって、上記ユーザが受けることが可能な組合せサービスを有効化すると共に、上記ユーザが当該オブジェクトを配置したこと、または上記ユーザが当該サービスを有効化したことに対する報酬を要求する通知を、予め定められた要求先に送信する要求手段とを備えていることを特徴とする請求項２に記載の情報提示装置。
【請求項１１】
上記非対応検出手段は、上記仮想空間上の部屋に追加されたオブジェクトのうち該オブジェクトが模した物品が上記ユーザの現実の部屋に配置されていないもの、または上記ユーザの現実の部屋に追加された物品のうち該物品を模したオブジェクトが上記仮想空間上の部屋に配置されていないものを検出することを特徴とする請求項１から１０の何れか１項に記載の情報提示装置。
【請求項１２】
現実の物品を模したオブジェクトを配置可能な仮想空間上の部屋のユーザに情報を提示する情報提示装置による情報提示方法であって、
上記仮想空間上の部屋に配置されているオブジェクトのうち該オブジェクトが模した物品が上記ユーザの現実の部屋に配置されていないもの、または上記ユーザの現実の部屋に配置されている物品のうち該物品を模したオブジェクトが上記仮想空間上の部屋に配置されていないものを検出する非対応検出ステップと、
上記非対応検出ステップにて検出したオブジェクトが模した物品の配置、または上記非対応検出ステップにて検出した物品を模したオブジェクトの配置を勧める情報を上記ユーザに提示する情報提示ステップとを含むことを特徴とする情報提示方法。
【請求項１３】
請求項１から１１の何れか１項に記載の情報提示装置を動作させるための制御プログラムであって、コンピュータを上記各手段として機能させるための制御プログラム。
【請求項１４】
請求項１３に記載の制御プログラムを記録したコンピュータ読み取り可能な記録媒体。
【発明の詳細な説明】
【技術分野】
【０００１】
本発明は、仮想空間上の部屋のユーザに対して情報を提示する情報提示装置等に関する。
【背景技術】
【０００２】
従来から、仮想空間に家具などのオブジェクトを配置して、これをユーザに閲覧させ、またオブジェクトの配置を変更したり、オブジェクトを追加・変更したりすることを可能にするシステムが利用されている。
【０００３】
例えば、下記の特許文献１には、住居に関する疑似現実的な仮想世界を構築するバーチャルリアリティによる実際の居住感覚シミュレーションに基づき、住居関連情報の提供を行うことが可能な住居関連情報提供システムが開示されている。
【０００４】
このシステムによれば、バーチャル居住空間上に、家具などの住居関連商品の情報を配置することで、住居空間内での商品の配置の効果を見ることができる。したがって、ユーザは、自分の居住スペースに新規に置く家具のイメージをつかむことができる。また、家具の販売業者は、効果的に商品を顧客に宣伝することができる。
【０００５】
また、ユーザがバーチャルルームを作成し、その上で自分の分身となるアバターを用意して、アバターを介して、他のユーザ（アバター）とコミュニケーションをしたり、ネット上の各サービスを受けたりすることが可能なネットサービスも広く利用されている。
【０００６】
一方、現実に家庭内に存在する家電機器に関する技術としては、例えば下記の特許文献２が挙げられる。この文献には、制御したい家電機器の制御命令を含む電子メールを遠隔地から送信し、当該メールを受信した制御機器が当該制御命令を抽出して、家電機器に制御命令を送ることで、遠隔地から家電機器を操作することが記載されている。
【先行技術文献】
【特許文献】
【０００７】
【特許文献１】特開２００１−１５５１７９号公報（２００１年６月８日公開）
【特許文献２】特開２００２−３４４６４４号公報（２００２年１１月２９日公開）
【発明の概要】
【発明が解決しようとする課題】
【０００８】
しかしながら、上述のような従来技術では、仮想空間のオブジェクトと現実の物品との対応関係は考慮されておらず、この対応関係が有効に利用されていないという問題があった。
【０００９】
例えば、上記特許文献１の技術では、ユーザは、現実の居住空間を模したバーチャル居住空間上に家具を配置して、そのイメージを見ることができる。しかしながら、現実の空間の家具とバーチャル居住空間上の家具とを対応付けることは行われず、この対応関係に基づく処理も行われない。
【００１０】
また、上述のネットサービスにおいても、バーチャルルームはあくまで仮想的な部屋であり、実際にユーザが居住している現実空間の部屋とは無関係である。すなわち、現実空間にある家具や家電機器と、バーチャルルーム内にある各アイテムとの対応関係は考慮されていない。
【００１１】
そして、上記特許文献２には、現実空間にある家電機器の遠隔操作に関する記述はあるが、現実の居住空間を模したバーチャル居住空間や、バーチャルルームについては何ら言及されていない。したがって、現実空間にある家具や家電機器と、バーチャルルーム内にある各アイテムとの対応関係は考慮されていない。
【００１２】
ここで、仮想空間のオブジェクトにはユーザの嗜好が反映されていると考えられる。また、仮想空間に現実の物品と対応するオブジェクトを配置したいと考えるユーザも多いと考えられ、仮想空間に現実の物品と対応するオブジェクトが配置されることによって、この対応関係を利用したサービスの提供も可能になる。
【００１３】
つまり、仮想空間のオブジェクトと現実の物品との対応関係を利用することによって、仮想空間上の部屋のユーザや、該部屋を提供しているサービス元、オブジェクトに対応する物品の販売元等にとって有益となる情報を提示することが可能になる。
【００１４】
本発明は、上記の問題点に鑑みてなされたものであり、その目的は、現実空間にある家具や家電機器等の物品と、仮想空間上に配置されたオブジェクトとの対応関係に応じた情報を提示する情報提示装置等を提供することにある。
【課題を解決するための手段】
【００１５】
本発明の情報提示装置は、上記課題を解決するために、現実の物品を模したオブジェクトを配置可能な仮想空間上の部屋のユーザに情報を提示する情報提示装置であって、上記仮想空間上の部屋に配置されているオブジェクトのうち該オブジェクトが模した物品が上記ユーザの現実の部屋に配置されていないもの、または上記ユーザの現実の部屋に配置されている物品のうち該物品を模したオブジェクトが上記仮想空間上の部屋に配置されていないものを検出する非対応検出手段と、上記非対応検出手段が検出したオブジェクトが模した物品の配置、または上記非対応検出手段が検出した物品を模したオブジェクトの配置を勧める情報を上記ユーザに提示する情報提示手段とを備えていることを特徴としている。
【００１６】
また、本発明の情報提示方法は、上記の課題を解決するために、現実の物品を模したオブジェクトを配置可能な仮想空間上の部屋のユーザに情報を提示する情報提示装置による情報提示方法であって、上記仮想空間上の部屋に配置されているオブジェクトのうち該オブジェクトが模した物品が上記ユーザの現実の部屋に配置されていないもの、または上記ユーザの現実の部屋に配置されている物品のうち該物品を模したオブジェクトが上記仮想空間上の部屋に配置されていないものを検出する非対応検出ステップと、上記非対応検出ステップにて検出したオブジェクトが模した物品の配置、または上記非対応検出ステップにて検出した物品を模したオブジェクトの配置を勧める情報を上記ユーザに提示する情報提示ステップとを含むことを特徴としている。
【００１７】
上記の構成によれば、仮想空間上の部屋に配置されているオブジェクトのうち該オブジェクトが模した物品がユーザの現実の部屋に配置されていないもの、またはユーザの現実の部屋に配置されている物品のうち該物品を模したオブジェクトが仮想空間上の部屋に配置されていないものを検出する。そして、検出したオブジェクトが模した物品の配置、または検出した物品を模したオブジェクトの配置を勧める情報をユーザに提示する。
【００１８】
このように、上記の構成によれば、現実の部屋の物品と仮想空間上の部屋のオブジェクトとの対応関係に応じた情報を提示することができる。そして、オブジェクトに対応する物品の購入を促すこと、または現実の部屋の物品に対応したオブジェクトの現仮想空間上の部屋への配置を促すことができる。
【００１９】
特に、仮想空間上の部屋に配置されているオブジェクトにはユーザの嗜好が反映されていると考えられるので、仮想空間上の部屋に配置されているオブジェクトが模した物品の配置を勧める上記の構成によれば、高い広告効果および販売促進効果が期待できる。
【００２０】
そして、オブジェクトの追加に課金するシステムが採用されている場合には、オブジェクトの配置を勧めることによって、当該システムによる収益を増加させることができる。また、現実の部屋の物品と仮想空間上の部屋のオブジェクトとが対応する状態とさせることにより、この対応関係を利用したサービスの提供等も可能になり、このサービスに課金することも可能となる。したがって、オブジェクトの配置を勧める上記の構成によっても販売促進効果が期待できる。
【００２１】
また、上記情報提示装置は、上記仮想空間上の部屋に配置されているオブジェクトを特定するオブジェクト特定手段と、上記ユーザの現実の部屋に配置されている物品を特定する物品特定手段とを備え、上記非対応検出手段は、上記オブジェクト特定手段が特定したオブジェクトのうち該オブジェクトが模した物品が上記物品特定手段に特定されていないもの、または上記物品特定手段が特定した物品のうち該物品を模したオブジェクトが上記オブジェクト特定手段に特定されていないものを検出することが好ましい。
【００２２】
上記の構成によれば、仮想空間上の部屋に配置されているオブジェクトを特定すると共に、現実の部屋に配置されている物品を特定する。また、特定したオブジェクトのうち該オブジェクトが模した物品が特定されていないもの、または特定した物品のうち該物品を模したオブジェクトが特定されていないものを検出する。
【００２３】
したがって、仮想空間上の部屋に配置されているオブジェクトおよび現実の部屋に配置されている物品の特定結果に応じた物品またはオブジェクトの配置を勧めることができる。
【００２４】
また、上記情報提示装置では、上記情報提示手段は、オブジェクトの配置または物品の配置を勧める情報として、または該情報と共に、当該配置によって受けることが可能になるサービスを示す情報を提示することが好ましい。
【００２５】
上記の構成によれば、オブジェクトの配置または物品の配置を勧める情報として、または該情報と共に、当該配置によって受けることが可能になるサービスを示す情報を提示する。
【００２６】
サービスを受けることが可能になることは、ユーザにとってメリットがあるので、上記の構成によれば、物品またはオブジェクトの配置をさらに強く促すことができ、販売促進効果の向上が期待できる。
【００２７】
また、上記情報提示装置は、上記オブジェクト特定手段が特定したオブジェクトが模した物品と、上記物品特定手段が特定した物品とが一致するか判定する一致判定手段を備え、上記情報提示手段は、上記一致判定手段が一致すると判定した物品と該物品を模したオブジェクトとの組み合わせによって、上記ユーザが受けることが可能な組合せサービスを示す情報を該ユーザに提示することが好ましい。
【００２８】
上記の構成によれば、特定したオブジェクトが模した物品と特定した物品とが一致するか判定し、一致すると判定した物品と該物品を模したオブジェクトとの組み合わせによってユーザが受けることが可能な組合せサービスを示す情報を提示する。
【００２９】
これにより、ユーザは、利用可能な組合せサービスを認識することができる。また、組合せサービスの利用を促して、この組合せサービスの普及に貢献することができる。
【００３０】
また、上記情報提示装置では、上記情報提示手段は、上記ユーザの現実の部屋に配置することによって、上記一致判定手段が一致すると判定した物品および該物品を模したオブジェクトと連携した連携サービスを受けることが可能になる連携物品の配置を勧める情報を上記ユーザに提示することが好ましい。
【００３１】
上記の構成によれば、ユーザの現実の部屋に配置することによって、連携サービスを受けることが可能になる連携物品の配置を勧める情報を提示する。
【００３２】
したがって、ユーザに連携サービスの存在、およびこの連携サービスを受けるための連携物品の存在を認識させて、この連携物品の購入を促すことができる。つまり、上記の構成によれば、オブジェクトと対応する物品がユーザの現実の部屋に配置されている場合であっても、連携物品の購入を勧めることができる。
【００３３】
また、上記情報提示装置では、上記オブジェクト特定手段が、上記連携物品が配置されていることを特定していない場合に、上記連携サービスを提示するときに、上記情報提示手段は、上記連携サービスが利用できないことを示す情報を提示することが好ましい。
【００３４】
上記の構成によれば、連携物品が配置されていることを特定していない場合に連携サービスを提示するときに、連携サービスが利用できないことを示す情報を提示する。これにより、ユーザに連携サービスの存在を認識させると共に、連携物品が配置されていないために、連携サービスが利用できないことを認識させることができる。
【００３５】
なお、連携サービスが利用できないことを示す情報は、このことをユーザが認識可能な情報であればよい。例えば、文字情報であってもよいし、絵や図形、記号等の情報であってもよい。また、連携サービスの名称や内容を、利用可能な組合せサービスの名称や内容と異なる態様で提示することによって、連携サービスが利用できないことをしてもよい。例えば、連携サービスの名称や内容をグレーアウト表示してもよい。この他にも、例えば利用可能な組合せサービスの名称や内容をユーザがポインタ等で選択可能に提示し、利用不可な連携サービスの名称や内容を選択不能に提示する等であってもよい。また、連携サービスの存在のみを提示し、その具体的内容を提示しないようにしてもよい。
【００３６】
また、上記情報提示装置は、上記非対応検出手段が検出した物品を模したオブジェクトの表示態様を、上記非対応検出手段が検出していない物品を模したオブジェクトの表示態様と異ならせるオブジェクト表示制御手段を備えていることが好ましい。
【００３７】
上記の構成によれば、非対応検出手段が検出した物品を模したオブジェクトの表示態様を、非対応検出手段が検出していない物品を模したオブジェクトの表示態様と異ならせる。
【００３８】
つまり、対応する物品が配置されていないオブジェクトの表示態様を、対応する物品が配置されている（または未だ検出の対象となっていない）オブジェクトの表示態様と異ならせる。
【００３９】
したがって、対応する物品が配置されていないオブジェクトをユーザに容易に認識させることができる。なお、表示態様は、ユーザが対応する物品が配置されていないオブジェクトを認識できるようなものであればよく、特に限定されない。
【００４０】
また、上記情報提示装置では、上記オブジェクト特定手段は、オブジェクトを特定すると共に該オブジェクトの属性を特定し、上記物品特定手段は、物品を特定すると共に該物品の属性を特定し、上記非対応検出手段は、上記オブジェクト特定手段が特定したオブジェクトのうち該オブジェクトの属性を有する物品が特定されていないもの、または上記物品特定手段が特定した物品のうち該物品の属性を有するオブジェクトが特定されていないものを検出し、上記情報提示手段は、上記非対応検出手段が検出したオブジェクトの属性を有する物品の配置、または上記非対応検出手段が検出した物品の属性を有するオブジェクトの配置を勧める情報を上記ユーザに提示することが好ましい。
【００４１】
上記の構成によれば、オブジェクトを特定すると共に該オブジェクトの属性を特定し、物品を特定すると共に該物品の属性を特定する。また、特定したオブジェクトのうち該オブジェクトの属性を有する物品が特定されていないもの、または特定した物品のうち該物品の属性を有するオブジェクトが特定されていないものを検出する。そして、検出したオブジェクトの属性を有する物品の配置、または検出した物品の属性を有するオブジェクトの配置を勧める情報を提示する。
【００４２】
したがって、オブジェクトまたは物品の属性に応じた細やかな推薦を行うことができる。例えば、上記物品が電子機器である場合、上記属性は機器の型番であってもよい。この場合、型番が異なる電子機器が検出され、配置されている物品またはオブジェクトの型番の電子機器の配置が勧められる。したがって、他の型番の電子機器またはそのオブジェクトが配置されている場合であっても、特定の型番の電子機器の配置を勧めることができる。
【００４３】
また、上記情報提示装置は、配置を勧めた物品を記憶する記憶手段と、上記物品特定手段が特定した物品が、上記記憶手段が記憶した物品と一致した場合に、当該物品を上記ユーザが配置したことに対する報酬を要求する通知を予め定められた要求先に送信する要求手段とを備えていることが好ましい。
【００４４】
上記の構成によれば、配置を勧めた物品を記憶しておき、特定した物品が記憶した物品と一致した場合に、当該物品をユーザが配置したことに対する報酬を要求する通知を予め定められた要求先に送信する。
【００４５】
これにより、上記情報提示装置が配置を勧めたことによって、上記ユーザが当該物品を購入したことを確認した上記要求先から、配置を勧めたことに対する報酬を受け取ることが可能になる。
【００４６】
また、上記情報提示装置は、配置を勧めたオブジェクトを記憶する記憶手段と、上記オブジェクト特定手段が特定したオブジェクトが、上記記憶手段が記憶したオブジェクトと一致した場合に、該オブジェクトと、該オブジェクトが模した物品との組み合わせによって、上記ユーザが受けることが可能な組合せサービスを有効化すると共に、上記ユーザが当該オブジェクトを配置したこと、または上記ユーザが当該サービスを有効化したことに対する報酬を要求する通知を、予め定められた要求先に送信する要求手段とを備えていることが好ましい。
【００４７】
上記の構成によれば、配置を勧めたオブジェクトを記憶しておき、特定したオブジェクトが記憶したオブジェクトと一致した場合に、該オブジェクトと、該オブジェクトが模した物品との組み合わせによって、上記ユーザが受けることが可能な組合せサービスを有効化する。また、ユーザが当該オブジェクトを配置したこと、またはユーザが当該サービスを有効化したことに対する報酬を要求する通知を、予め定められた要求先に送信する。
【００４８】
これにより、上記情報提示装置が配置を勧めたことによって、上記ユーザが当該オブジェクトを配置したこと、またはサービスを有効化したことを確認した上記要求先から、配置を勧めたことに対する報酬を受け取ることが可能になる。
【００４９】
また、上記情報提示装置では、上記非対応検出手段は、上記仮想空間上の部屋に追加されたオブジェクトのうち該オブジェクトが模した物品が上記ユーザの現実の部屋に配置されていないもの、または上記ユーザの現実の部屋に追加された物品のうち該物品を模したオブジェクトが上記仮想空間上の部屋に配置されていないものを検出することが好ましい。
【００５０】
上記の構成によれば、仮想空間上の部屋に追加されたオブジェクトまたはユーザの現実の部屋に追加された物品を対象として、非対応のオブジェクトまたは物品を検出する。したがって、配置されている全ての物品またはオブジェクトを対象として検出を行う場合と比べて、検出に要する時間を短縮することができる。また、過去に検出の対象とした物品またはオブジェクトを検出の対象から外すことができるので、同じ物品やオブジェクトの配置を繰り返し勧めることを防ぐことができる。
【００５１】
なお、上記情報提示装置は、コンピュータによって実現してもよく、この場合には、コンピュータを上記情報提示装置の各手段として動作させることにより、上記情報提示装置をコンピュータにて実現させる制御プログラム、及びそれを記録したコンピュータ読み取り可能な記録媒体も本発明の範疇に入る。
【発明の効果】
【００５２】
以上のように、本発明の情報提示装置は、上記仮想空間上の部屋に配置されているオブジェクトのうち該オブジェクトが模した物品が上記ユーザの現実の部屋に配置されていないもの、または上記ユーザの現実の部屋に配置されている物品のうち該物品を模したオブジェクトが上記仮想空間上の部屋に配置されていないものを検出する非対応検出手段と、上記非対応検出手段が検出したオブジェクトが模した物品の配置、または上記非対応検出手段が検出した物品を模したオブジェクトの配置を勧める情報を上記ユーザに提示する情報提示手段とを備えている構成である。
【００５３】
また、本発明の情報提示方法は、以上のように、上記仮想空間上の部屋に配置されているオブジェクトのうち該オブジェクトが模した物品が上記ユーザの現実の部屋に配置されていないもの、または上記ユーザの現実の部屋に配置されている物品のうち該物品を模したオブジェクトが上記仮想空間上の部屋に配置されていないものを検出する非対応検出ステップと、上記非対応検出ステップにて検出したオブジェクトが模した物品の配置、または上記非対応検出ステップにて検出した物品を模したオブジェクトの配置を勧める情報を上記ユーザに提示する情報提示ステップとを含む構成である。
【００５４】
したがって、現実の部屋の物品と仮想空間上の部屋のオブジェクトとの対応関係に応じた情報を提示することができる。そして、オブジェクトに対応する物品の購入を促すこと、または現実の部屋の物品に対応したオブジェクトの現仮想空間上の部屋への配置を促すことができる。
【図面の簡単な説明】
【００５５】
【図１】本発明の一実施形態にかかる情報提示装置の要部構成を示すブロック図である。
【図２】対応するバーチャルルームとリアルルームの一例を示す図であり、同図（ａ）はバーチャルルームの一例を示し、同図（ｂ）はリアルルームの一例を示す。
【図３】上記情報提示装置が、対応物品が特定されていない場合に使用する挙動データの一例を示す図である。
【図４】上記情報提示装置がサービス一覧を表示するために使用するサービス情報の一例を示す図である。
【図５】上記情報提示装置が、対応物品が特定されている場合に使用する挙動データの一例を示す図である。
【図６】上記情報提示装置が実行する対応関係判定処理の一例を示すフローチャートである。
【図７】上記対応関係判定処理において、対応関係判定部から、オブジェクトを示す情報と共に対応物品が検出されなかった旨が挙動決定部に通知されたときに行われる物品広告処理の一例を示すフローチャートである。
【図８】上記対応関係判定処理において、対応関係判定部から、オブジェクトを示す情報と共に対応物品が検出された旨が挙動決定部に通知されたときに行われる対応物品検出時処理の一例を示すフローチャートである。
【図９】対応オブジェクトの存否に応じた情報を提示する情報提示装置が、対応オブジェクトが特定されていない場合に使用する挙動データの一例を示す図である。
【図１０】上記情報提示装置が実行する対応関係判定処理の一例を示すフローチャートである。
【図１１】上記対応関係判定処理において、対応関係判定部から、物品を示す情報と共に対応オブジェクトが検出されなかった旨が挙動決定部に通知されたときに行われるオブジェクト配置推薦処理の一例を示すフローチャートである。
【図１２】上記対応関係判定処理において、対応関係判定部から、物品を示す情報と共に対応オブジェクトが検出された旨が挙動決定部に通知されたときに行われる対応オブジェクト検出時処理の一例を示すフローチャートである。
【発明を実施するための形態】
【００５６】
《実施の形態１》
以下、本発明の実施の一形態について、図１〜図８に基づいて詳細に説明する。
【００５７】
《装置構成》
まず、本実施形態にかかる情報提示装置の構成を図１に基づいて説明する。図１は、情報提示装置１の要部構成を示すブロック図である。
【００５８】
情報提示装置１は、広告等の情報をユーザに提示する装置であり、図示のように、オブジェクト情報入力部１０、物品情報入力部１１、制御部１２、出力部１３、および記憶部１４を備えている。
【００５９】
オブジェクト情報入力部１０は、現実の物品を模したオブジェクト（アイコン）を配置可能な仮想空間上の部屋であるバーチャルルームに配置されているオブジェクトを示すオブジェクト情報１００の入力を受け付けるインターフェースである。オブジェクト情報１００は、バーチャルルームに配置されているオブジェクトを特定可能な情報であればよく、例えば当該オブジェクトの名称のリストであってもよい。
【００６０】
物品情報入力部１１は、上記バーチャルルームのユーザの現実の部屋（以下、リアルルームと呼ぶ）に配置されている物品を示す物品情報１０１の入力を受け付けるインターフェースである。物品情報１０１は、リアルルームに配置されている物品を特定可能な情報であればよく、例えばウェブカメラ等で撮影したリアルルームの静止画像や動画像であってもよい。
【００６１】
制御部１２は、情報提示装置１の動作を統括して制御するものであり、配置オブジェクト特定部（オブジェクト特定手段）２０、配置物品特定部（物品特定手段）２１、対応関係判定部（非対応検出手段、一致判定手段）２２、および挙動決定部（情報提示手段、オブジェクト表示制御手段、記憶手段、要求手段）２３を備えている。
【００６２】
配置オブジェクト特定部２０は、オブジェクト情報入力部１０が受け付けたオブジェクト情報１００に基づいて、バーチャルルームに配置されているオブジェクトを特定する。
【００６３】
配置物品特定部２１は、物品情報入力部１１が受け付けた物品情報１０１に基づいて、リアルルームに配置されている物品を特定し、特定した物品を物品情報蓄積管理部３０に記憶する。例えば、物品情報１０１がリアルルームの画像である場合、この画像を解析してリアルルーム内の物品を特定し、特定した物品を示す情報（物品名、型番等）を記憶する。
【００６４】
対応関係判定部２２は、配置オブジェクト特定部２０が特定したオブジェクトと、配置物品特定部２１が特定した物品との対応関係を判定する。具体的には、特定したオブジェクトに対応する物品が特定されたか否か（特定されたオブジェクトと特定された物品とに対応関係があるか否か）を判定する。
【００６５】
これにより、対応関係判定部２２は、配置オブジェクト特定部２０が特定したオブジェクトのうち、該オブジェクトに対応する物品が特定されていないものを検出する。なお、以下ではオブジェクトに対応する物品（オブジェクトが模した物品）を対応物品と称する。
【００６６】
挙動決定部２３は、特定されたオブジェクトと、特定された物品との対応関係に応じた挙動が定義されている挙動データを挙動データ蓄積管理部３１から読み出して、対応関係判定部２２の判定した対応関係に応じた挙動を決定する。
【００６７】
出力部１３は、挙動決定部２３が決定した挙動に応じた情報（広告等）を外部装置１０２に出力する。なお、外部装置１０２は、情報提示装置１が情報を提示する対象となる装置であり、上記ユーザの所有する装置である。外部装置１０２への出力は、例えばメール配信サーバ等の他の装置を介して行ってもよい。また、例えば、上記の情報をバーチャルルームの管理サーバに送信し、バーチャルルームを表示する画面上でこれを表示させることによって、ユーザへの提示を行ってもよい。
【００６８】
記憶部１４は、情報提示装置１が使用する各種データを記憶する記憶装置であり、物品情報蓄積管理部３０、挙動データ蓄積管理部３１、およびサービス情報蓄積管理部３２を含む。
【００６９】
物品情報蓄積管理部３０には、配置物品特定部２１が特定したリアルルーム内の物品を示す情報が格納される。なお、ここでは、配置物品特定部２１がリアルルーム内の物品を特定し、該物品を示す情報を物品情報蓄積管理部３０に記憶する例を説明するが、これらの処理は他の装置が行うようにしてもよい。この場合、配置物品特定部２１は、情報提示装置１の外部に設けられた物品情報蓄積管理部３０からリアルルーム内の物品を特定する。
【００７０】
挙動データ蓄積管理部３１には、特定されたオブジェクトと、特定された物品との対応関係に応じた挙動が定義されている挙動データが記憶されている。より詳細には、対応物品が特定されていない場合に使用する挙動データと、対応物品が特定されている場合に使用する挙動データとを記憶している。
【００７１】
サービス情報蓄積管理部３２には、バーチャルルーム上のオブジェクトと、リアルルームにおける物品との組み合わせによって利用可能となるサービスを示すサービス情報が記憶されている。
【００７２】
なお、情報提示装置１は、バーチャルルームの管理サーバと一体に構成されていてもよい。これにより、オブジェクト情報１００を容易かつ迅速に取得することができ、またバーチャルルーム上でユーザへの情報を行うことも可能となる。
【００７３】
《バーチャルルームとリアルルームについて》
続いて、バーチャルルームとリアルルームについて図２に基づいて説明する。図２は、対応するバーチャルルームとリアルルームの一例を示す図であり、同図（ａ）はバーチャルルームの一例を示し、同図（ｂ）はリアルルームの一例を示す。
【００７４】
バーチャルルームは、クラウド技術によって提供されるものであり、インターネットにアクセス可能な装置を用いて閲覧することが可能である。ユーザは、クラウド上に自己のバーチャルルームを開設し、閲覧することができ、またバーチャルルーム内にオブジェクトを配置することができる。なお、バーチャルルームの画像のユーザへの提示、ユーザ毎のバーチャルルームの内容に関する管理等は、バーチャルルームの管理サーバが行う。
【００７５】
例えば、同図（ａ）の例では、観葉植物４１、ソファー４２、テレビ４３、およびテーブルセット４４のオブジェクトがバーチャルルーム４０の内部に配置された状態が、外部装置１０２の表示部に表示されている。ユーザは、これらのオブジェクトの配置を変えたり、新たなオブジェクトを追加したり、既存のオブジェクトを削除したりして、好みの部屋とすることが可能である。
【００７６】
一方、リアルルームは、バーチャルルームのユーザの現実の部屋であるから、リアルルームにはユーザの所有する物品が配置されている。同図（ｂ）の例では、観葉植物、ソファー、およびリビングテーブルが配置されている。
【００７７】
同図（ａ）（ｂ）に示すように、リアルルームの物品と、バーチャルルームのオブジェクトとの対応関係は３通りとなる。すなわち、対応物品がリアルルームにある関係（観葉植物４１、ソファー４２）、対応物品がリアルルームにはない関係（テレビ４３、テーブルセット４４）、および物品に対応するオブジェクトがバーチャルルームにはない関係（リビングテーブル）である。
【００７８】
情報提示装置１は、バーチャルルームに配置された各オブジェクトについて、対応物品がリアルルームにある関係、および対応物品がリアルルームにはない関係の何れに該当するかを判断し、この判断結果に応じた情報をユーザに提示する点が主な特徴点である。なお、物品に対応するオブジェクトがバーチャルルームにはない関係を判断の対象とする例は、次の実施形態で説明する。
【００７９】
《対応物品が特定されていない場合に使用する挙動データの例》
次に、特定されたオブジェクトについて、これに対応する物品が特定されていない場合（オブジェクトの対応物品がリアルルームにない場合）に使用する挙動データの例を図３に基づいて説明する。図３は、対応物品が特定されていない場合に使用する挙動データの一例を示す図である。
【００８０】
図示の挙動データは、オブジェクト情報と、物品情報と、挙動とが対応付けられたデータである。ただし、この挙動データは、対応物品が特定されていない場合に使用するものであるため、物品情報には物品を示す具体的な情報が含まれておらず、同図ではこのことを「×」で示している。
【００８１】
また、図示のオブジェクト情報には、オブジェクトの大分類を示す情報と小分類（属性）を示す情報とを含むものと、小分類を示す情報は含まないものとが含まれる。具体的には、オブジェクトの大分類を示す情報として「エアコン」が記述されており、小分類が記述されていないものと、小分類を示す情報として型番（Ａ００１，Ａ００２，Ｂ００１）がそれぞれ記述されているものとが含まれる。
【００８２】
そして、これらのオブジェクト情報に対し、広告およびサービス情報を提示する挙動が対応付けられている。具体的には、大分類が「エアコン」のオブジェクト情報に対し、広告Ａの提示と、サービス一覧Ａの提示という２つの挙動が対応付けられている。また、大分類が「エアコン」であり小分類が「Ａ００１」のオブジェクト情報に対し、広告Ａ００１の提示と、サービス一覧Ａ００１の提示という２つの挙動が対応付けられている。そして、小分類が「Ａ００２」、「Ｂ００１」のオブジェクト情報についても同様に、広告およびサービス情報を提示する挙動が対応付けられている。
【００８３】
なお、広告Ａは、エアコンの購入を勧める広告であり、サービス一覧Ａは、エアコンを購入することで受けることが可能になるサービスの一覧を示すものである。このサービス一覧には、バーチャルルーム上のオブジェクトと、リアルルームにおける対応物品との組み合わせによって、ユーザが受けることが可能になるサービス（組合せサービス）が含まれる。組合せサービスは、例えば、バーチャルルーム上のエアコンのオブジェクトに対して動作を開始させる操作を行ったときに、バーチャルルームの管理サーバからリアルルームのエアコンに対して動作開始命令を送信して動作状態とさせるものであってもよい。
【００８４】
また、広告Ａ００１は、型番が「Ａ００１」のエアコンの購入を勧める広告であり、サービス一覧Ａ００１は、型番が「Ａ００１」のエアコンを購入することで受けることが可能になるサービスの一覧を示すものである。広告Ａ００２、Ｂ００１、サービス一覧Ａ００２、Ｂ００１も同様である。
【００８５】
このような挙動データを参照することによって、バーチャルルームに配置されていることが特定されたオブジェクトに応じた広告を行うことができる。例えば、バーチャルルームに型番が「Ａ００１」のエアコンのオブジェクトが配置されていることが特定された場合には、これに対応付けられている挙動、すなわち広告Ａ００１の提示およびサービス一覧Ａ００１の提示を特定することができる。そして、この特定結果に基づいて、当該バーチャルルームのユーザに対して、広告Ａ００１を提示し、サービス一覧Ａ００１を提示することができる。
【００８６】
バーチャルルームに配置されたオブジェクトには、そのユーザの嗜好が反映されていると考えられるので、上記の広告は高い効果が期待できる。また、バーチャルルームと連動したサービスを提示することにより、ユーザの購入を後押しすることができる。
【００８７】
なお、オブジェクトに対応付ける挙動は、該オブジェクトの対応物品の配置を勧める挙動が含まれていればよく、上記の例に限られない。例えば、小分類にかかわらず、特定の機種や特定のメーカーの物品を勧める情報を対応付けたものであってもよい。対応付けるサービス一覧についても同様であり、特定の機種や特定のメーカーの物品のサービス一覧を対応付けてもよい。
【００８８】
また、１つのオブジェクトに対して複数機種の広告を対応付けておいてもよい。この場合、対応付けられた全ての広告を提示してもよいし、例えば販売元から提示されたインセンティブ（報酬）の高さ等に基づいて選択した広告を提示してもよい。
【００８９】
さらに、対応物品の配置によって受けることが可能になるサービスを提示することは、その対応物品の配置を勧めることに等しいから、対応物品の配置を勧める挙動として、サービスの提示のみが対応付けられていてもよい。
【００９０】
《サービス情報の例》
続いて、上記のサービス一覧を表示するために使用されるサービス情報の例を図４に基づいて説明する。図４は、サービス情報の一例を示す図である。
【００９１】
図示のサービス情報は、対象機種とサービス一覧とが対応付けられたデータであり、サービス一覧にはサービス内容を示す情報が含まれている。これにより、物品に応じたサービス内容を特定することができる。
【００９２】
例えば、図３の挙動データからサービス一覧Ａ００２を提示する挙動が特定された場合、図４のサービス情報を参照して、対象機種「エアコンＡ００２」に対応付けられたサービス内容（サービスｂｂｂおよびｃｃｃ）を特定することができる。そして、これにより、型番が「Ａ００２」のエアコンを購入することによって、サービスｂｂｂおよびｃｃｃを受けることが可能になる旨の情報をユーザに提示することができる。
【００９３】
また、図示のサービス一覧には、連携機器（連携物品）を示す情報が含まれている。この連携機器とは、リアルルームに配置することによって、対象機種およびそのオブジェクトと連携したサービス（連携サービス）を受けることが可能になる機器である。この連携機器の情報を用いることによって、対象機種を購入した、あるいは購入するユーザに対し、連携機器の購入を勧めることができる。
【００９４】
なお、図４の例では、連携機器が１つのみ対応付けられているが、複数の連携機器を対応付けてもよい。例えば、「テレビＴ００２」の連携機器として、「ＢＤレコーダＲ００１」と「スマートフォンＳ００１」を対応付けてもよい。そして、「ＢＤレコーダＲ００１」の購入によって可能になるサービスと、この組み合わせに対してさらに「スマートフォンＳ００１」を追加することによって可能になるサービスとを対応付けてもよい。
【００９５】
また、サービス一覧には、対象機種を購入するユーザに提示すべき他の情報が含まれていてもよい。例えば、連携機器との連携をより便利に利用するためのアプリケーションソフトの広告や、対象機器の購入特典（値引きやポイント付与等）を示す情報、対象機種を便利に利用するためのアプリケーションソフトの広告等のような情報が含まれていてもよい。
【００９６】
《対応物品が特定されている場合に使用する挙動データの例》
続いて、特定されたオブジェクトの対応物品がリアルルームにおいて特定されている場合（対応物品がリアルルームにある場合）に使用する挙動データの例を図５に基づいて説明する。図５は、対応物品が特定されている場合に使用する挙動データの一例を示す図である。
【００９７】
図５の挙動データは、図３の挙動データと同様に、オブジェクト情報と、物品情報と、挙動とが対応付けられたデータであるが、物品情報に物品を示す具体的な情報が含まれている点で相違している。図５の挙動データを参照することによって、対応物品が特定されている場合の挙動を特定することができる。
【００９８】
例えば、バーチャルルームにテレビのオブジェクトが配置されており、リアルルームにおいてもテレビが配置されていることが特定された場合には、これに対応付けられている挙動、すなわちサービス一覧Ｔの提示を特定することができる。なお、サービス一覧Ｔは、バーチャルルームおよびリアルルームの両方にテレビがある状態で利用可能となるサービスを一覧で示す情報である。
【００９９】
したがって、この特定結果に基づいて、バーチャルルームおよびリアルルームの両方にテレビがある状態で利用可能となるサービスの一覧を、当該バーチャルルームのユーザに提示することができる。
【０１００】
また、図５の挙動データでは、大分類は一致するが、小分類（型番）が異なるものが対応付けられている。具体的には、オブジェクト情報が型番「Ｔ００２」のテレビに対して、物品情報が型番「Ｔ００１」のテレビが対応付けられている。
【０１０１】
そして、小分類が異なる物品については、物品の小分類に対応するオブジェクトへの変更を勧める挙動、およびオブジェクト情報の小分類に対応する物品の購入を勧める挙動を対応付けている。
【０１０２】
具体的には、オブジェクト情報が型番「Ｔ００２」のテレビと、物品情報が型番「Ｔ００１」のテレビとの組み合わせに対して、案内Ｔ００１およびサービス一覧Ｔ００１の提示に加えて、広告Ｔ００２およびサービス一覧Ｔ００２の提示が対応付けられている。
【０１０３】
したがって、上記の組み合わせが特定された場合には、案内Ｔ００１およびサービス一覧Ｔ００１を提示することができる。なお、案内Ｔ００１は、バーチャルルームのオブジェクト（Ｔ００２）を、リアルルームの物品に合わせて、型番が「Ｔ００１」のものに変更することを勧める案内である。この案内は、例えば型番が「Ｔ００１」のオブジェクト（アイコンＴ００１）を提示することで行ってもよい。
【０１０４】
また、上記の組み合わせが特定された場合には、広告Ｔ００２およびサービス一覧Ｔ００２を提示して、オブジェクトと同じ型番のテレビの購入を勧めることもできる。
【０１０５】
なお、対応付ける挙動は、物品とオブジェクトの組み合わせによって可能になる組合せサービスを提示する挙動が含まれていればよく、上記の例に限られない。
【０１０６】
《対応関係判定処理の流れ》
次に、情報提示装置１が実行する対応関係判定処理（情報提示方法）の流れを図６に基づいて説明する。図６は、対応関係判定処理の一例を示すフローチャートである。
【０１０７】
まず、配置オブジェクト特定部２０は、バーチャルルームに配置されているオブジェクトを特定し（Ｓ１、オブジェクト特定ステップ）、このオブジェクトを示す情報（対応物品名、型番等を示す情報）を対応関係判定部２２に通知する。
【０１０８】
また、配置物品特定部２１は、物品情報蓄積管理部３０を参照してリアルルームに配置されている物品を特定し（Ｓ２、物品特定ステップ）、この物品を示す情報（物品名、型番等を示す情報）を対応関係判定部２２に通知する。
【０１０９】
次に、対応関係判定部２２は、配置オブジェクト特定部２０から通知されたオブジェクトに対応する物品（対応物品）がリアルルームにないか判断する（Ｓ３、非対応検出ステップ）。具体的には、対応関係判定部２２は、配置オブジェクト特定部２０から通知されたオブジェクトの１つについて、このオブジェクトの対応物品が、配置物品特定部２１から通知された物品の何れとも一致しないか否かを判断する。
【０１１０】
なお、大分類が一致し、小分類が異なる物品は、一致していないものと判断する。また、ここでは、リアルルームにおける物品の位置と、バーチャルルームにおけるオブジェクトの位置とが異なる場合にも、一致していないものと判断してもよい。この場合、配置オブジェクト特定部２０は、オブジェクトの位置についても特定し、配置物品特定部２１は、物品の位置についても特定する。
【０１１１】
ここで、対応物品がリアルルームにないと判断した場合（Ｓ３でＹＥＳ）、対応関係判定部２２は、当該オブジェクトを示す情報と共に、対応物品が検出されなかった旨を挙動決定部２３に通知する。なお、大分類が一致し、小分類が異なる物品が特定されている場合には、この物品を示す情報（物品名、型番等を示す情報）も通知する。この通知を受信した挙動決定部２３は、物品広告処理を行い（Ｓ４）、当該オブジェクトの対応物品を広告する。
【０１１２】
一方、対応物品がリアルルームにあると判断した場合（Ｓ３でＮＯ）、対応関係判定部２２は、当該オブジェクト（または物品）を示す情報と共に、対応物品が検出された旨を挙動決定部２３に通知する。この通知を受信した挙動決定部２３は、対応物品検出時処理を行う（Ｓ５）。
【０１１３】
次に、対応関係判定部２２は、Ｓ１で特定された全てのオブジェクトについて、対応関係を判定するＳ３の処理を行ったか判断する（Ｓ６）。ここで、未判定のものが存在した場合（Ｓ６でＮＯ）、未判定のオブジェクトについてＳ３以降の処理を行い、全ての判定が終了した場合（Ｓ６でＹＥＳ）に対応関係判定処理を終了する。
【０１１４】
なお、上記の例では、特定された全てのオブジェクトについて、対応関係を判定しているが、対応関係判定処理の度に、全てのオブジェクトについて、対応関係を判定する必要はない。
【０１１５】
例えば、物品情報蓄積管理部３０に格納されている情報が更新された（物品が追加された）ことを検出したタイミングで対応関係判定処理を行ってもよい。同様に、オブジェクト情報入力部１０に入力されるオブジェクト情報１００が更新された（オブジェクトが追加された）ことを検出したタイミングで対応関係判定処理を行ってもよい。そして、これらのような場合には、更新された物品またはオブジェクトについてのみ対応関係を判定するようにしてもよい。
【０１１６】
〈物品広告処理〉
続いて、図６のＳ４で行われる物品広告処理の詳細を図７に基づいて説明する。図７は、対応関係判定部２２から、オブジェクトを示す情報と共に対応物品が検出されなかった旨が挙動決定部２３に通知されたときに行われる物品広告処理の一例を示すフローチャートである。
【０１１７】
まず、挙動決定部２３は、バーチャルルームの管理サーバに指示して、対応関係判定部２２から通知されたオブジェクトの表示態様を変更させる（Ｓ１０）。この処理は、バーチャルルームに配置されたオブジェクトのうち、リアルルームに対応物品が配置されているものを容易に認識できるようにするために行われる。このため、対応物品が配置されているもの（あるいは対応関係が未判定のもの）と識別できるように表示態様を変更すればよい。例えば、表示色を薄くする、透過度を上げる、表示サイズを小さくする、下線や枠囲み等のマーキングを施す等の処理を行ってもよい。
【０１１８】
次に、挙動決定部２３は、挙動データ蓄積管理部３１に格納されている挙動データを参照して、通知されたオブジェクトに対応する挙動を特定する（Ｓ１１）。具体的には、図３に示すような、対応物品が特定されていない場合に対応する挙動データを参照して挙動を特定する。
【０１１９】
このとき、オブジェクトの大分類のみが通知されていれば、その大分類に対応付けられた挙動を特定し、小分類も通知されていれば、その小分類に対応付けられた挙動を特定する。
【０１２０】
なお、大分類が一致し、小分類が異なる物品が特定されている場合には、この物品を示す情報も通知される。この場合、図５に示すような挙動データを参照して、オブジェクトおよび物品の小分類に応じた挙動を特定する。
【０１２１】
ここで、図３、図５に示すように、挙動データにおいては、オブジェクトに対応する物品の広告を提示する挙動と、該物品の購入によって受けることが可能になるサービス一覧を提示する挙動とが対応付けられている。
【０１２２】
このため、挙動決定部２３は、通知されたオブジェクトに対応する物品の広告を、出力部１３から外部装置１０２に対して送信させることによって、ユーザに提示する（Ｓ１２、情報提示ステップ）。
【０１２３】
また、挙動決定部２３は、サービス情報蓄積管理部３２を参照して、Ｓ１２で広告した物品に対応するサービス一覧を特定する。そして、特定したサービスを、出力部１３を介して外部装置１０２に通知することによって、ユーザに提示する（Ｓ１３）。
【０１２４】
そして、挙動決定部２３は、広告した物品とこの広告の提示先（例えば広告の送信先である外部装置１０２のユーザのＩＤやメールアドレス）とを対応付けて記憶し（Ｓ１４）、物品広告処理を終了する。
【０１２５】
〈対応物品検出時処理〉
続いて、図６のＳ５で行われる対応物品検出時処理の詳細を図８に基づいて説明する。図８は、対応関係判定部２２から、オブジェクトを示す情報と共に対応物品が検出された旨が挙動決定部２３に通知されたときに行われる対応物品検出時処理の一例を示すフローチャートである。
【０１２６】
まず、挙動決定部２３は、対応物品が広告した物品であるか判断する（Ｓ２０）。具体的には、挙動決定部２３は、過去に広告した物品を記憶しているので（図７のＳ１４）、記憶している物品と対応関係判定部２２から通知されたオブジェクトに対応する物品とが一致するかによってこの判断を行う。
【０１２７】
ここで、広告した物品であると判断した場合（Ｓ２０でＹＥＳ）、挙動決定部２３は、バーチャルルームの管理サーバに指示して、対応関係判定部２２から通知されたオブジェクトの表示態様を変更させる（Ｓ２１）。
【０１２８】
具体的には、当該オブジェクトの表示態様が、対応物品が配置されているもの（あるいは対応関係が未判定のもの）と同様となるように、表示色を濃くする、透過度を下げる、表示サイズを大きくする、下線や枠囲み等のマーキングを外す等の処理を行わせる。
【０１２９】
続いて、挙動決定部２３は、サービス情報蓄積管理部３２を参照して、当該物品の追加によって受けることが可能になったサービス（組合せサービス）を特定し、当該サービスの提供元（例えばバーチャルルームの管理サーバ）に指示してこれを有効化させる（Ｓ２２）。なお、ユーザがサービスを望まないことも考えられるため、サービスを有効化するか否かを問い合わせるメッセージを表示させて、有効化の可否をユーザに選択させるようにしてもよい。
【０１３０】
また、この物品の購入は情報提示装置１による広告の効果と考えられるため、挙動決定部２３は、当該物品の販売元（予め定められた要求先）に対してインセンティブを要求する通知を送信し（Ｓ２３）、対応物品検出時処理を終了する。
【０１３１】
なお、要求通知の送信先である物品の販売元のアドレスは予め記憶しておいたものを使用する。また、インセンティブの要求通知を送信する際には、図７のＳ１４で記憶した、物品とその広告先を示す情報も送信する。
【０１３２】
これにより、インセンティブの要求通知を受信した販売元は、物品の購入履歴等を参照してこの物品が広告先に購入されたかを確認し、確認が取れた場合に、所定のインセンティブを支払う。
【０１３３】
なお、広告が物品購入の契機となったことを明確にするため、値引き等の特典を受けるためのクーポンを含む広告を提示してもよい。この場合、販売元は、このクーポンを使用して物品が購入されたことが確認されたときに、所定のインセンティブを支払う。
【０１３４】
ここで、Ｓ２０において、対応物品が広告した物品ではないと判断した場合（Ｓ２０でＮＯ）、挙動決定部２３は、挙動データ蓄積管理部３１に格納されている挙動データを参照して、通知されたオブジェクトに対応する挙動を特定する（Ｓ２４）。具体的には、図５に示すような、対応物品が特定されている場合に対応する挙動データを参照して、挙動を特定する。
【０１３５】
この挙動データでは、オブジェクトと物品の組み合わせによって受けることが可能になるサービス一覧を提示する挙動とが対応付けられているため、挙動決定部２３は、このサービス（組合せサービス）を提示する（Ｓ２５）。具体的には、挙動決定部２３は、サービス情報蓄積管理部３２を参照して特定したサービスを出力部１３を介して外部装置１０２に提示させる。
【０１３６】
なお、広告していない物品をユーザがリアルルームに追加したことにより、この物品がバーチャルルームのオブジェクトと対応関係にとなることも想定される。このため、Ｓ２０でＮＯと判断した場合にもＳ２１の処理を行って、オブジェクトの表示態様を変更させてもよい。
【０１３７】
また、挙動決定部２３は、連携機器の広告を提示する（Ｓ２６）。具体的には、挙動決定部２３は、サービス情報蓄積管理部３２を参照して、対応物品の連携機器およびその連携機器を購入することによって利用可能になる連携サービスを特定する。そして、特定した連携機器および連携サービスを出力部１３を介して外部装置１０２に提示させる。
【０１３８】
また、図７のＳ１４と同様にして、広告した連携機器と広告先とを対応付けて記憶し（Ｓ２７）、対応物品検出時処理を終了する。なお、サービス情報蓄積管理部３２において、連携機器が対応付けられていない場合には、Ｓ２６およびＳ２７の処理は省略する。
【０１３９】
この後、配置物品特定部２１が特定して対応関係判定部２２に通知した物品に、広告した連携機器が含まれていることが確認されたときには、挙動決定部２３は、上述のＳ２２およびＳ２３と同様の処理により、この連携機器の追加によって受けることが可能になったサービスを有効化する。そして、連携機器の販売元にインセンティブを要求する。
【０１４０】
なお、連携機器を購入することによって利用可能になる連携サービスの提示は、連携機器の広告に等しいから、連携機器の広告の提示を省略し、サービスの提示のみを行ってもよい。
【０１４１】
また、連携サービスは、Ｓ２５において、組合せサービスと共に提示してもよい。ただし、連携機器が配置されていない状態では、連携サービスを利用することはできないので、このことをユーザに認識させるような提示を行うことが望ましい。
【０１４２】
例えば、配置物品特定部２１が連携機器の配置を特定していない場合に、その連携機器の配置により可能となる連携サービスについて、現時点では利用できないことを示す、文字や絵、図形、記号等の情報と共に提示してもよい。また、例えば、連携サービスの名称や内容をグレーアウト表示してもよい。この他にも、例えば利用可能な組合せサービスの名称や内容をユーザがポインタ等で選択可能に提示し、利用不可な連携サービスの名称や内容を選択不能に提示する等であってもよい。また、連携サービスの存在のみを提示し、その具体的内容を提示しないようにしてもよい。
【０１４３】
なお、配置物品特定部２１が連携機器の配置を特定している場合には、連携サービスが利用可能な状態であるから、他の利用可能な組合せサービス等と同様の態様で連携サービスを提示すればよい。
【０１４４】
また、連携機器に対応するオブジェクトがバーチャルルームに配置されている場合には、連携サービスの利用の可否に応じた表示態様で表示させてもよい。例えば、表示サイズを変えさせる、下線や枠を表示させる、表示色の濃さを変えさせる等により、連携サービスの利用の可否を認識できるようにしてもよい。
【０１４５】
《実施の形態２》
以下、本発明の他の実施の形態について、図９〜図１２に基づいて詳細に説明する。なお、上記実施形態と同様の構成については同一の参照番号を付し、その説明を省略する。
【０１４６】
上記実施形態の情報提示装置１は、特定したオブジェクトの対応物品の存否に応じた情報を提示するものであったが、本実施形態の情報提示装置は、特定した物品に対応するオブジェクト（以下、対応オブジェクトと称する）の存否に応じた情報を提示する。
【０１４７】
このため、本実施形態の情報提示装置は、特定した物品の対応オブジェクトが存在しない場合（リアルルームに物品があるが、これに対応するオブジェクトがバーチャルルームに配置されていない場合）に情報を提示する。これについて以下詳細に説明する。
【０１４８】
《装置構成》
本実施形態の情報提示装置の構成は、上記実施形態の情報提示装置１と同様であるから、図１に示すブロック図の参照符号を用いて説明を行う。
【０１４９】
《対応オブジェクトが存在しない場合に使用する挙動データの例》
上述のように、本実施形態の情報提示装置１は、対応オブジェクトの存否に応じた情報を提示するため、対応オブジェクトの存否に応じた挙動データを参照する。ここでは、対応オブジェクトが特定されていない場合に使用する挙動データの例を図９に基づいて説明する。図９は、対応オブジェクトが特定されていない場合に使用する挙動データの一例を示す図である。なお、対応オブジェクトが特定されている場合に使用する挙動データは、図５と同様であるから説明を省略する。
【０１５０】
図９の挙動データは、オブジェクト情報と、物品情報と、挙動とが対応付けられたデータである。ただし、この挙動データは、対応オブジェクトが特定されていない場合に使用するものであるため、オブジェクト情報にはオブジェクトを示す具体的な情報が含まれておらず、同図ではこのことを「×」で示している。
【０１５１】
また、図示の物品情報には、物品の大分類を示す情報と小分類を示す情報とを含むものと、小分類を示す情報は含まないものとが含まれる。具体的には、物品の大分類を示す情報として「エアコン」が記述されており、小分類が記述されていないものと、小分類を示す情報として型番（Ａ００１，Ａ００２，Ｂ００１）がそれぞれ記述されているものとが含まれる。
【０１５２】
そして、これらの物品情報に対し、広告およびサービス情報を提示する挙動が対応付けられている。具体的には、大分類が「エアコン」のオブジェクト情報に対し、案内Ａ（アイコンＡ）の提示と、サービス一覧Ａの提示という２つの挙動が対応付けられている。また、大分類が「エアコン」であり小分類が「Ａ００１」の物品情報に対し、案内Ａ００１（アイコンＡ００１）の提示と、サービス一覧Ａ００１の提示という２つの挙動が対応付けられている。そして、小分類が「Ａ００２」、「Ｂ００１」の物品情報についても同様に、案内およびサービス情報を提示する挙動が対応付けられている。
【０１５３】
なお、案内Ａは、エアコンのオブジェクトの配置を勧める案内であり、この案内は文章等によるものであってもよいし、エアコンのアイコン（オブジェクト）であるアイコンＡを提示するものであってもよいし、これらの組み合わせであってもよい。同様に、案内Ａ００１、Ａ００２、Ｂ００１は、それぞれ型番が「Ａ００１」、「Ａ００２」、「Ｂ００２」のエアコンのオブジェクトの配置を勧める案内である。サービス一覧Ａ、Ａ００１、Ａ００２、およびＢ００１は、上記実施形態と同様であるから説明を省略する。
【０１５４】
このような挙動データを参照することによって、リアルルームに配置されていることが特定された物品に応じたオブジェクトの配置を勧めることができる。例えば、リアルルームに型番が「Ａ００１」のエアコンが配置されていることが特定された場合には、これに対応付けられている挙動、すなわち案内Ａ００１の提示およびサービス一覧Ａ００１の提示を特定することができる。そして、この特定結果に基づいて、当該バーチャルルームのユーザに対して、案内Ａ００１を提示し、サービス一覧Ａ００１を提示することができる。
【０１５５】
この案内およびサービス一覧の提示は、ユーザが対応オブジェクトを配置し、これによりサービスを受ける契機となる。そして、オブジェクトの配置やサービスの提供に課金するシステムとなっている場合には、課金元に対してインセンティブを要求することも可能になる。
【０１５６】
なお、物品に対応付ける挙動は、該物品の対応オブジェクトの配置を勧める挙動が含まれていればよく、上記の例に限られない。例えば、対応オブジェクトの配置によって受けることが可能になるサービスを提示することは、そのオブジェクト物品の配置を勧めることに等しいから、対応オブジェクトの配置を勧める挙動として、サービスの提示のみが対応付けられていてもよい。
【０１５７】
《対応関係判定処理の流れ》
次に、本実施形態の情報提示装置１が実行する対応関係判定処理（情報提示方法）の流れを図１０に基づいて説明する。図１０は、対応オブジェクトの存否に応じた情報を提示する情報提示装置１が実行する対応関係判定処理の一例を示すフローチャートである。
【０１５８】
まず、配置オブジェクト特定部２０は、バーチャルルームに配置されているオブジェクトを特定し（Ｓ３０）、このオブジェクトを示す情報（対応物品名、型番等を示す情報）を対応関係判定部２２に通知する。
【０１５９】
また、配置物品特定部２１は、物品情報蓄積管理部３０を参照してリアルルームに配置されている物品を特定し（Ｓ３１）、この物品を示す情報（物品名、型番等を示す情報）を対応関係判定部２２に通知する。
【０１６０】
次に、対応関係判定部２２は、配置物品特定部２１から通知された物品に対応するオブジェクト（対応オブジェクト）がバーチャルルームにないか判断する（Ｓ３２、非対応検出ステップ）。
【０１６１】
具体的には、対応関係判定部２２は、配置物品特定部２１から通知された物品の１つについて、この物品の対応オブジェクトが、配置オブジェクト特定部２０から通知されたオブジェクトの何れとも一致しないか否かを判断する。なお、大分類が一致し、小分類が異なるオブジェクトは、一致していないものと判断する。
【０１６２】
ここで、対応オブジェクトがバーチャルルームにないと判断した場合（Ｓ３２でＹＥＳ）、対応関係判定部２２は、当該物品を示す情報と共に、対応オブジェクトが検出されなかった旨を挙動決定部２３に通知する。なお、大分類が一致し、小分類が異なるオブジェクトが特定されている場合には、このオブジェクトを示す情報（物品名、型番等を示す情報）も通知する。この通知を受信した挙動決定部２３は、オブジェクト配置推薦処理を行い（Ｓ３３）、当該オブジェクトの配置を勧める。
【０１６３】
一方、対応オブジェクトがバーチャルルームにあると判断した場合（Ｓ３２でＮＯ）、対応関係判定部２２は、当該オブジェクト（または物品）を示す情報と共に、対応オブジェクトが検出された旨を挙動決定部２３に通知する。この通知を受信した挙動決定部２３は、対応オブジェクト検出時処理を行う（Ｓ３４）。
【０１６４】
次に、対応関係判定部２２は、Ｓ３０で特定された全ての物品について、対応関係を判定するＳ３２の処理を行ったか判断する（Ｓ３５）。ここで、未判定のものが存在した場合（Ｓ３５でＮＯ）、未判定の物品についてＳ３２以降の処理を行い、全ての判定が終了した場合（Ｓ３５でＹＥＳ）に対応関係判定処理を終了する。
【０１６５】
〈オブジェクト配置推薦処理〉
続いて、図１０のＳ３３で行われるオブジェクト配置推薦処理の詳細を図１１に基づいて説明する。図１１は、対応関係判定部２２から、物品を示す情報と共に対応オブジェクトが検出されなかった旨が挙動決定部２３に通知されたときに行われるオブジェクト配置推薦処理の一例を示すフローチャートである。
【０１６６】
まず、挙動決定部２３は、挙動データ蓄積管理部３１に格納されている挙動データを参照して、通知された物品に対応する挙動を特定する（Ｓ４０）。具体的には、図９に示すような、対応オブジェクトが特定されていない場合に対応する挙動データを参照して挙動を特定する。
【０１６７】
このとき、物品の大分類のみが通知されていれば、その大分類に対応付けられた挙動を特定し、小分類も通知されていれば、その小分類に対応付けられた挙動を特定する。
【０１６８】
なお、大分類が一致し、小分類が異なる物品が特定されている場合には、この物品を示す情報も通知される。この場合、図５に示すような挙動データを参照して、オブジェクトおよび物品の小分類に応じた挙動を特定する。
【０１６９】
ここで、図９の挙動データにおいては、オブジェクトの配置を案内する挙動と、該オブジェクトの配置によって受けることが可能になるサービス一覧を提示する挙動とが対応付けられている。
【０１７０】
このため、挙動決定部２３は、通知された物品に対応するオブジェクトの配置を勧める情報（案内）を、出力部１３から外部装置１０２に対して送信させることによって、ユーザに提示する（Ｓ４１、情報提示ステップ）。
【０１７１】
また、挙動決定部２３は、サービス情報蓄積管理部３２を参照して、Ｓ４１で案内したオブジェクトの対応物品に対応付けられたサービス一覧を特定する。そして、特定したサービスを、出力部１３を介して外部装置１０２に通知することによって、ユーザに提示する（Ｓ４２）。
【０１７２】
そして、挙動決定部２３は、配置を推薦したオブジェクトとその推薦先（例えば案内の送信先である外部装置１０２のユーザのＩＤやメールアドレス）とを対応付けて記憶し（Ｓ４３）、オブジェクト配置推薦処理を終了する。
【０１７３】
〈対応オブジェクト検出時処理〉
続いて、図１０のＳ３４で行われる対応オブジェクト検出時処理の詳細を図１２に基づいて説明する。図１２は、対応関係判定部２２から、物品を示す情報と共に対応オブジェクトが検出された旨が挙動決定部２３に通知されたときに行われる対応オブジェクト検出時処理の一例を示すフローチャートである。
【０１７４】
まず、挙動決定部２３は、対応オブジェクトが配置を勧めたものであるか判断する（Ｓ５０）。具体的には、挙動決定部２３は、過去に配置を勧めたオブジェクトを記憶しているので（図１１のＳ４３）、記憶しているオブジェクトと対応関係判定部２２から通知された物品の対応オブジェクトとが一致するかによってこの判断を行う。
【０１７５】
ここで、配置を勧めたオブジェクトであると判断した場合（Ｓ５０でＹＥＳ）、挙動決定部２３は、サービス情報蓄積管理部３２を参照して、当該物品の追加によって受けることが可能になったサービス（組合せサービス）を特定する。そして、当該サービスの提供元（例えばバーチャルルームの管理サーバ）に指示してこれを有効化させる（Ｓ５１）。なお、ユーザがサービスを望まないことも考えられるため、サービスを有効化するか否かを問い合わせるメッセージを表示させて、有効化の可否をユーザに選択させるようにしてもよい。
【０１７６】
また、このオブジェクトの配置およびサービスの有効化は、情報提示装置１による情報提示の効果と考えられる。このため、挙動決定部２３は、当該サービスの提供元（予め定められた要求先）に対してインセンティブを要求する通知を送信し（Ｓ５２）、対応オブジェクト検出時処理を終了する。なお、インセンティブは、オブジェクトの配置またはサービスの有効化に対するものである。
【０１７７】
ここで、Ｓ５０において、対応オブジェクトが配置を勧めたものではないと判断した場合（Ｓ５０でＮＯ）、挙動決定部２３は、挙動データ蓄積管理部３１に格納されている挙動データを参照して、通知された物品に対応する挙動を特定する（Ｓ５３）。具体的には、図５に示すような、対応オブジェクトが特定されている場合に対応する挙動データを参照して、挙動を特定する。
【０１７８】
この挙動データでは、オブジェクトと物品の組み合わせによって受けることが可能になるサービス一覧を提示する挙動とが対応付けられているため、挙動決定部２３は、このサービスを提示する（Ｓ５４）。具体的には、挙動決定部２３は、サービス情報蓄積管理部３２を参照して特定したサービスを出力部１３を介して外部装置１０２に提示させる。
【０１７９】
また、挙動決定部２３は、連携機器の広告を提示する（Ｓ５５）。具体的には、挙動決定部２３は、サービス情報蓄積管理部３２を参照して、対応オブジェクトに対応する物品の連携機器およびその連携物品を購入することによって利用可能になるサービスを特定する。そして、特定した連携機器およびサービスを出力部１３を介して外部装置１０２に提示させる。
【０１８０】
また、図７のＳ１４と同様にして、広告した連携機器と広告先とを対応付けて記憶し（Ｓ５６）、対応オブジェクト検出時処理を終了する。なお、サービス情報蓄積管理部３２において、連携機器が対応付けられていない場合には、Ｓ５５およびＳ５６の処理は省略する。
【０１８１】
この後、配置物品特定部２１が特定して対応関係判定部２２に通知した物品に、広告した連携機器が含まれていることが確認されたときには、挙動決定部２３は、上述のＳ５１と同様の処理により、この連携機器の追加によって受けることが可能になった連携サービスを有効化する。そして、連携機器の販売元にインセンティブを要求する。
【０１８２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１８３】
《ソフトウェアによる実現例》
最後に、情報提示装置１の各ブロック、特に制御部１２は、集積回路（ＩＣチップ）上に形成された論理回路によってハードウェア的に実現してもよいし、ＣＰＵ（Central Processing Unit）を用いてソフトウェア的に実現してもよい。
【０１８４】
後者の場合、情報提示装置１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである情報提示装置１の制御プログラムのプログラムコード（実行形式プログラム、中間コードプログラム、ソースプログラム）をコンピュータで読み取り可能に記録した記録媒体を、情報提示装置１に供給し、そのコンピュータ（またはＣＰＵやＭＰＵ）が記録媒体に記録されているプログラムコードを読み出し実行することによっても、達成可能である。
【０１８５】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１８６】
また、情報提示装置１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１８７】
本発明は、物品やサービスの広告等に利用することができる。
【符号の説明】
【０１８８】
１  情報提示装置
２０  配置オブジェクト特定部（オブジェクト特定手段）
２１  配置物品特定部（物品特定手段）
２２  対応関係判定部（非対応検出手段、一致判定手段）
２３  挙動決定部（情報提示手段、オブジェクト表示制御手段、記憶手段、要求手段）
【図１】
2014002605.tif 000003
【図２】
2014002605.tif 000004
【図３】
2014002605.tif 000005
【図４】
2014002605.tif 000006
【図５】
2014002605.tif 000007
【図６】
2014002605.tif 000008
【図７】
2014002605.tif 000009
【図８】
2014002605.tif 000010
【図９】
2014002605.tif 000011
【図１０】
2014002605.tif 000012
【図１１】
2014002605.tif 000013
【図１２】
2014002605.tif 000014